(57)【要約】      （修正有）【課題】調整可能なバラスト半径の最小値をさらに小さくすることが可能な垂下バラストガイドの提供。【解決手段】バラストを吊り下げるクレーンのための、折り畳み可能な垂下バラストガイドであって、少なくとも２つの格子ピース１１，１２であって、少なくとも１つの回転継ぎ手によって互いに回動可能に接続される、２つの格子ピースと、バラスト半径を変更するために回転角度を変化させる回転駆動部と、を備え、前記垂下バラストガイドは第１の格子ピースを介してクレーンに配置することができ、第２の格子ピースは、バラスト半径を減少させるために、クレーンの方向において下方または後方に向かって前記第２の格子ピースを曲げるための、少なくとも１つの曲げ継ぎ手を備えることを特徴とする、折り畳み可能な垂下バラストガイド。【選択図】図１
2020132434.tif 000002
【特許請求の範囲】
【請求項１】
バラストを吊り下げるクレーンのための、折り畳み可能な垂下バラストガイドであって、
少なくとも２つの格子ピースであって、少なくとも１つの回転継ぎ手によって互いに回動可能に接続される、２つの格子ピースと、
バラスト半径を変更するために回転角度を変化させる回転駆動部と、
を備え、
前記垂下バラストガイドは第１の格子ピースを介して前記クレーンに配置することができ、
第２の格子ピースは、バラスト半径を減少させるために、クレーンの方向において下方または後方に向かって前記第２の格子ピースを曲げるための、少なくとも１つの曲げ継ぎ手を備えることを特徴とする、折り畳み可能な垂下バラストガイド。
【請求項２】
請求項１に記載の折り畳み可能な垂下バラストガイドであって、曲げ角度を調整するための少なくとも１つの曲げ駆動部が、前記第２の格子ピースに設けられ、前記曲げ駆動部は、とりわけ引きシリンダの形式で設けられ、そのロッドの動作が、前記第２の格子ピースのサブ要素の曲げ角度の変化を創出することを特徴とする、折り畳み可能な垂下バラストガイド。
【請求項３】
請求項１または請求項２に記載の折り畳み可能な垂下バラストガイドであって、前記第２の格子ピースの内側の端部同士は、分断されており、底側の弦の前記内側の端部のサブ要素は、曲げ継ぎ手によって互いに接続されることを特徴とする、折り畳み可能な垂下バラストガイド。
【請求項４】
請求項３に記載の折り畳み可能な垂下バラストガイドであって、前記第２の格子ピースの前記サブ要素のうち、特に頂上側の弦の前記内側の端の部位は、前記第２の格子ピースの前記頂上側の弦の領域において、固定装置を用いて互いに開放可能に接続することが可能であることを特徴とする、折り畳み可能な垂下バラストガイド。
【請求項５】
請求項３に記載の折り畳み可能な垂下バラストガイドであって、固定装置は、前記内側の端部同士の部位をボルトで固定するための少なくとも１つの固定ボルトを備え、とりわけ、各内側の端部につき少なくとも１つの固定ボルトを備え、またボルト引き出し装置も備えることを特徴とする、折り畳み可能な垂下バラストガイド。
【請求項６】
請求項５に記載の折り畳み可能な垂下バラストガイドであって、少なくとも１つの前記固定ボルトに対し、少なくとも１つのボルト固定手段が備えられ、前記ボルト固定手段は、固定ラグが前記固定ボルトの軸方向への突出部に係合する形式であることを特徴とする、折り畳み可能な垂下バラストガイド。
【請求項７】
請求項５または請求項６に記載の折り畳み可能な垂下バラストガイドであって、少なくとも１つの前記固定ボルトのボルト収容部は長孔としてデザインされ、とりわけ、前記長孔内において前記固定ボルトを移動させることにより、固定ラグの前記固定ボルトとの係合を解除することができるように構成されていることを特徴とする、折り畳み可能な垂下バラストガイド。
【請求項８】
請求項７に記載の折り畳み可能な垂下バラストガイドであって、前記固定ボルトの移動は前記曲げ駆動部によって創出され、とりわけ、前記第２の格子ピースのサブ要素同士を互いに対して引くことによって創出され、好ましくは、前記サブ要素の接触領域に対する適切な接触点が設けられることを特徴とする、折り畳み可能な垂下バラストガイド。
【請求項９】
請求項７または請求項８に記載の折り畳み可能な垂下バラストガイドであって、少なくとも１つの近接センサが、前記固定装置の領域または前記長孔の領域に配置され、それにより前記長孔内における前記固定ボルトの位置を検出することを特徴とする、折り畳み可能な垂下バラストガイド。
【請求項１０】
請求項１から請求項９までのいずれか１項に記載の折り畳み可能な垂下バラストガイドであって、前記回転駆動部は、第２の格子ピースの１つ以上の曲げ継ぎ手の領域で作動し、好ましくは、直線状に互いに平行に配置される２つのシリンダを備えることを特徴とする、折り畳み可能な垂下バラストガイド。
【請求項１１】
請求項１から請求項１０までのいずれか１項に記載の折り畳み可能な垂下バラストガイドであって、クレーン本体に回動可能に配置することができる第１の格子ピースは、断面プロフィールがＵ字形状またはＣ字形状であり、そのため、前記第１の格子ピースを前記クレーン本体に対して後方に向かう方向に回動した場合、そこに配置されるクレーンの構成要素、特にＳＡ架台は、前記第１の格子ピースのプロフィールの辺の間に形成されたクリアランスの中を、少なくとも部分的に貫通することを特徴とする、折り畳み可能な垂下バラストガイド。
【請求項１２】
請求項１から請求項１１までのいずれか１項に記載の折り畳み可能な垂下バラストガイドを少なくとも１つ備える、クレーン。
【発明の詳細な説明】
【技術分野】
【０００１】
本発明は、バラストを吊り下げるクレーンのための、折り畳み可能な垂下バラストガイドであって、少なくとも２つの格子ピースであって、少なくとも１つの回転継ぎ手によって互いに回動可能に接続される、２つの格子ピースと、バラスト半径を変更するために回転角度を変化させる回転駆動部と、を備え、前記垂下バラストガイドは第１の格子ピースを介して前記クレーンに配置することができる、折り畳み可能な垂下バラストガイドに関する。
【背景技術】
【０００２】
一般的な折り畳み可能な垂下バラストガイドにおいては、２つの格子ピースを互いに回動可能に結合することにより、格子ピースの回転角度に応じて、垂下バラストガイドにより吊り下げられるバラストを、クレーンに対して様々な距離に維持できることが公知である。回転角度を増加させることにより、垂下バラストガイドが届く範囲を増大させることができ、またそれによりバラスト半径を増大させることができる。それにより、取り上げられるバラストプレートに関しては何らの変更点もなく、クレーンにおいて様々なバラストの動作を導入することができる。
【０００３】
調整範囲をできるだけ広くすることが望ましい。最大回転角度は、実質的には構成部品の寸法に委ねられて決まるところ、デザイン上の理由による達成可能な最小回転角度は、格子ピースの形状に応じて制限される。これは、格子ピースのブロックが互いに小さな回転角度を有することによる。その結果、載せられるバラストの重量のために、必要とされるバラストの動作が実現できない場合がある。またそのために、扱いにくく時間を浪費するバラストの再形成が必要となる場合がある。
【０００４】
現在までのところ実行可能な解決策は、用いられる格子ピースの改善である。ここで、格子ピースのうちの１つを特殊なＵ字形状のプロフィールにすることが提案されている。これによれば、小さな回転角度において、第２の格子ピースは、Ｕ字のプロフィールの辺の間に形成されるクリアランスに収容することができる。しかしながら、このような解決策によっても、達成し得る最小回転角度は限定的であった。
【０００５】
それ故に、調整可能なバラスト半径の最小値をさらに小さくすることが可能な、代替的な解決策が捜し求められた。
【発明の概要】
【発明が解決しようとする課題】
【０００６】
この目的は、請求項１の特徴に係る折り畳み可能な垂下バラストガイドによって解決される。垂下バラストガイドの有利な実施形態は、従属請求項の主題である。
【課題を解決するための手段】
【０００７】
本発明によれば、少なくとも２つの格子ピースが少なくとも１つの回転継ぎ手を介して互いに接続される一般的な折り畳み可能な垂下バラストガイドにおいて、第２の格子ピース（すなわち、クレーンの構造上には配置されない格子ピース）に少なくとも１つの曲げ継ぎ手を設けることが提案される。
【０００８】
一般的な垂下バラストガイドにおいては、内装される格子ピースは直線状のデザインであること、すなわち、その中央軸が直線に一致することが、公知である。本発明によれば、第２の格子ピースには曲げ継ぎ手が内装されるため、第２の格子ピースは、必要に応じて、上記の標準的な形状から逸脱した形状をとることができる。これはとりわけ、２つの格子ピースの調整された最小回転角度において、バラスト半径をより一層小さくすることを可能とする。これは、第２の格子ピースが、曲げ継ぎ手を有することにより、クレーン本体の方向に対して下方へまたは後方へ曲げられるためである。加えて、第２の格子ピースの中間軸は対応する曲げ角度を示す。この特徴により、先行技術により知られている格子ピースの特殊なＵ字形状は、省略することが可能となる。
【０００９】
本発明の有利な実施形態においては、第２の格子ピースの曲げ角度を調整するために、少なくとも１つの曲げ駆動部が設けられる。このような曲げ駆動部は、例えばシリンダとして、好ましくは引きシリンダの形式としてデザインできる。このシリンダは、第２の格子ピースの構造上において、少なくとも１つの曲げ継ぎ手の領域に配置され、両方のサブ要素を結合する。駆動部、特にピストンロッドを駆動させることにより、取得される曲げ角度は、好ましくは無段階に調整される。
【００１０】
本発明のデザイン上の変形例においては、第２の格子ピースの内側の端部は、分断されたように設計される。内側の端部の領域は、好ましくは、内装された曲げ継ぎ手を介して、互いに接続される。好ましくは、曲げ継ぎ手は、第２の格子ピースの底側の弦の内側の端部同士の領域に、配置される。バラスト半径がより大きい場合には、すなわち、第２の格子ピースが曲げられていない場合には、頂上側の弦の内側の端部同士も分断されて設計され、かつ互いにしっかりと接続されていなければならない。格子ピースを曲げるために、非常に小さいまたは最小のバラスト半径を調整する場合に限り、上記の接続は分離されなければならない。
【００１１】
この背景に対し、第２の格子ピースに少なくとも１つの固定装置が設けられていると、特に有利である。この固定装置は、頂上側の弦の内側の端部同士の領域を、開放可能に互いに接続する。好適な実施形態では、固定装置は、第２の格子ピースの頂上側の弦の少なくとも１つの内側の端部同士の領域をボルトで固定するために、少なくとも１つの固定ボルトを備える。理想的には、内側の端部の領域には、その端の部分に指状のまたはフォーク状の補足的な要素が設けられる。
【００１２】
さらに、必要に応じて、頂上側の弦の内側の端部の固定ボルトを、自動的に引き出しまたは挿入するために、好適なボルト引き出し装置が第２の格子ピースに設けられていると、好都合である。
【００１３】
しかしながら、固定ボルトが不注意に開放されないように、注意を払うべきである。監視の目的で、固定ボルトの位置をモニタリングするために、好適なセンサシステムを用いることが推奨される。例えば、格子ピースの固定ボルトの領域に位置し、その固定ボルトの位置を検出することが可能な、少なくとも１つの近接センサが採用される。考えられるのは、挿入位置にあるボルトを検出するセンサと、開放位置にあるボルトを検出するセンサと、を備えることである。センサシステムは、クレーンの制御装置と通信するための適切なインターフェースを備える。
【００１４】
他の選択的かつ有利な安全手段として、ボルトが少なくとも挿入位置にあることを保証するための、付加的な固定手段が設けられる。形状がぴったり嵌まることにより、ボルトが引き抜かれることを防止するような、機械的な解決策がここでは好まれる。ボルト引き出し装置の引っ張り力に関しても、同様の事情が行く手に立ちはだかるため、固定手段の寸法設定が選択される。
【００１５】
有利な実施形態においては、固定手段は固定ラグの形式で構成することが可能である。この固定ラグは、ボルト収容部から軸方向に突出しているボルトの突出部に、固定する目的で係合し、それによりボルトがボルト収容部から引き出されてしまうことを機械的に防止する。
【００１６】
好ましくは、付加的なボルト引き出し装置を含む固定ボルトは、第２の格子ピースの第１のサブ要素に搭載される。すなわち、固定ボルトは、第２の格子ピースのサブ要素のうち、第１の格子ピースに回動可能に接続されている方のサブ要素に、搭載される。頂上側の弦の内側の端部同士のそれぞれに、丁度１つの固定ボルトが設けられていると、特に有利である。
【００１７】
固定手段の自動的な開放を可能とするために、格子ピースの第１のおよび／または第２のサブ要素のボルト収容部は、長孔として構成される。これにより、所定のボルトのクリアランスが提供され、またそれにより、固定ボルトが挿入されている場合においても、第２の格子ピースのサブ要素が互いに対して小さく動くことが可能となる。これは、サブ要素の相対的な動きにより長孔内において固定ボルトを移動させるためには十分であり、また、固定手段との係合を解除するのにも十分である。ボルトの定義された移動は、理想的には、第２の格子ピースの曲げ駆動部を介して、実現される。特にこれは、曲げ駆動部によって第２の格子ピースのサブ要素同士を互いに対し引っ張ることにより、実現される。曲げ駆動部が引きシリンダとして設計される場合、ピストンロッドは完全にこの端まで反作用しなければならない。これにより、内側の端部同士がボルトで固定されている場合、サブ要素同士は互いに対して僅かに加圧されている。便宜的に、対応する接触点がサブ要素に設けられるものとする。
【００１８】
長孔内における固定ボルトの具体的な位置を検出する好適なセンサシステムによる拡張は、クレーンの制御装置への接続に関して役立つ。ここでも、長孔の付近に配置される少なくとも１つの近接センサの利用が、役立つことが判明している。
【００１９】
第１のおよび第２の格子ピースの回転駆動部として、好ましくは１つまたはそれ以上のシリンダユニットが採用される。互いに平行に配置される少なくとも２つの回転シリンダを用いることが、推奨される。このシリンダは、一方側の端部が第１の格子ピースに結合され、他方側の端部が第２の格子ピースに接続される。理想的には、１つまたはそれ以上の回転シリンダが総合的に、第２の格子ピースの１つまたはそれ以上の曲げ継ぎ手の領域に影響する。
【００２０】
第１の格子ピースをクレーン本体の方向において後方側へと回動させた場合、クレーン本体のエッジと干渉する虞があることにより、後方への動きも制限される。特に、デリック構造を有するクレーンにおいては、ＳＡ架台が、上記の干渉する虞のあるエッジとして挙げられる。そのような場合には、干渉する虞のあるエッジ（特にＳＡ架台）が後方側へと回動することを可能とするような、十分なクリアランスを、第１の格子ピースに設けることが考えられる。適切なクリアランスは、例えば、第１の格子ピースの断面プロフィールを、Ｃ字形状またはＵ字形状とすることにより、実現される。ここでのクリアランスは、上記プロフィールの辺の間において成り立っている。
【００２１】
本発明に係る垂下バラストガイドと同様に、本願はクレーンにも関連している。当該クレーンは、とりわけ移動式のクレーンに関し、理想的にはデリックブームを有するクローラクレーンに関し、それは対応する回動可能な垂下バラストガイドを備えている。したがって、本発明に係る垂下バラストガイドを参照して上記で既に説明したのと同様の利点および特性が、クレーンにおいても得ることができる。それ故に、繰り返しとなる説明は省略する。
【図面の簡単な説明】
【００２２】
【図１】図１は、回動可能な垂下バラストガイドを搭載した、本発明に係るクレーンの全体像を、詳細に示している。
【図２】図２は固定ボルトが配置される領域における、第２の格子ピースの細部を示している。
【図３】図３は、図２に示した詳細な領域を、他の方向から見た様子を示している。
【図４】図４は、曲げ継ぎ手が配置される領域における、第２の格子ピースの全体的な様子を示している。
【図５】ａ）〜ｃ）は、本発明に係るクレーンの３つの概略的な側面図であり、それぞれが異なるバラスト半径に調整されている様子を示している。これらにより、本発明に係る垂下バラストガイドの動作の様式を示している。
【図６】図６は、輸送時の配置における、本発明に係る垂下バラストガイドの側面図を示している。
【００２３】
本発明のさらなる利点および特性については、図面に示された例示的な実施形態を参照しながら、以降において詳細に説明される。
【発明を実施するための形態】
【００２４】
図に示された例示的な実施形態を参照して、本発明に係る折り畳み式の垂下バラストガイドの操作の様式について説明する。この例示的な実施形態によれば、垂下バラストガイドは、デリックブームを備えるクローラクレーンに搭載される。クレーンは、メインブームの側方に、ガイを介してＳＡ架台に接続されるデリックブーム２１を備える。垂下バラストガイドのアッセンブリーは、上側キャリッジに作用する。そのために、垂下バラストガイドの第１の格子ピース１１は、その開放端が上側キャリッジに回動可能に接続される。
【００２５】
図１には、垂下バラストガイドの構造的デザインの良好な概観が示されている。本発明に係る垂下バラストガイドは実質的には２つの格子ピース１１，１２により構成されており、これらの内側の端部は、端部において一点に向かって集まっている。格子ピースは、一点に向かって集まっている内側の端部の領域においては、合計で２つの回転継ぎ手１を介して、互いに接続されている。第２の格子ピース１２の開放端は、バラスト取り上げフレーム１０を取り付けるための２つの組立点を備える。これらの組立点の領域に同様に結合するのは、ガイである。このガイは、垂下バラストガイドからデリックブーム２１の先端部にまで延びている。２つの格子ピース１１，１２に含まれる回転角を変化させることにより、バラストからクレーン本体までの距離を調整することができる。
【００２６】
角度の変化は、平行に配置された回転シリンダ３の影響を受ける。シリンダの側においては、同様のものが第１の格子ピース１１にも組立点の近くにおいて設けられていて、上側キャリッジに接続される。ピストンボスが第２の格子ピース１２に搭載され、より特定的にはそこに設けられる曲げ継ぎ手２に搭載されるが、その目的については後に詳述する。
【００２７】
不可欠な曲げ継ぎ手２は本発明の本質部分であるが、同様に、必要に応じて、第２の格子ピース１２は下方に曲げられていてもよいし、あるいはクレーン本体の方向に曲げられていてもよい。原理上は、第２の格子ピース１２は２つのサブ要素１２ａ，１２ｂにより構成されていて、これらは２つの曲げ継ぎ手２を介して互いに接続されており、互いに対して回動可能である。
【００２８】
具体的には、第２の格子ピース１２の内側の端部同士はそれぞれ、２部のデザインであり、底側の弦の２つの下側の内側の端部同士は、曲げ継ぎ手２を介して互いに接続されている。組み込まれた曲げ継ぎ手２のおかげで、バラスト取り上げフレーム１０に接続されるサブ要素１２ｂは、クレーン本体の方向に対して下方へまたは後方へ曲がることができる。このため、第１のおよび第２の格子ピース１１，１２の間の回転角度が一定であっても、バラスト半径の一層の減少を実現することができる。
【００２９】
新しい垂下バラストガイドの操作の様式と適応能力について、図５ａ〜図５ｃに示してある。図５ａは、回転シリンダ３が完全に延ばされた状態における垂下バラストガイドと、格子ピース１１，１２の間の最大曲げ角度を示している。このとき、最大バラスト半径が設定される。第２の格子ピース１２も曲げられていない。この構成では、例えばおよそ３０ｍのバラスト半径を実現することができる。
【００３０】
図５ｂでは、両方の回転シリンダ３が完全に引っ込んでいる。そのため、格子ピースの間の回転角度は最小である。しかしながら、第２の格子ピース１２はまだ曲げられていない。この設定によれば、例えば、図示した構成においては、バラスト半径をおよそ１６ｍに設定することができる。したがって、バラスト半径は、回転シリンダ３によって、比較的広い半径領域において変化させることが可能である。ここで、理想的には、無段階のバラスト半径の調整が可能である。
【００３１】
同様に、図５ｃは完全に引っ込んだ回転シリンダ３を示している。しかしここでは、第２の格子ピース１２が、不可欠な曲げ継ぎ手２によって、付加的に下方へと曲げられているため、バラスト半径は、図５ｂの場合と比較してより一層減少されている。例えば、曲げ継ぎ手２のおかげで、バラスト半径はおよそ３ｍ〜１３ｍだけさらに減少させることができる。
【００３２】
第２の格子ピース１２のサブ要素１２ａ，１２ｂの間における、曲げ接続の操作の様式について、以下では図２〜図４の詳細な表示を参照して説明する。サブ要素１２ｂを曲げさせるためには、２つの上側の内側の端同士の角の、部分１２３，１２４の間の結合を解除する必要がある。そうでないと、曲げの動作が阻害されてしまう。その代わり、図５ａ，図５ｂに示した半径領域においては、部分１２３，１２４の間に、負荷を掛けることが可能でかつ強固な接続があることが保証されなければならない。２つの上側の内側の端同士の角の、部分１２３，１２４の間の結合を、要求されているとおりに開放可能な態様で設けるとなると、それぞれを固定ボルト２２で締結することで実現し得る。ボルトは、機械によって取り付け／取り外すことが可能であるだけではなく、それに加えて、固定機構を備えることにより、不必要な動作から守られる。
【００３３】
格子ピース１２のサブ要素１２ａ，１２ｂの、上側の内側の端部１２３，１２４同士は、フォーク指状の補足的な結合を含む。ここで、頂上側の弦の内側の端部同士の各対は、関連する固定ボルト２２によって、結合状態とし、または開放状態とすることができる。原理上は、フォーク状の／指状の要素は、サブ要素１２ａ，１２ｂに任意に配置することができる。ここでは、フォーク状の要素は、サブ要素１２ａの内側の端部１２３に配置される。内側の端部の各対のための固定ボルト２２は、同様に、調整ボルト引き出し装置２３とともにサブ要素１２ａに搭載される。ボルト引き出し装置によって、固定ボルト２２が軸方向に動くことができ、それにより、フォーク指状の結合物の孔に対して固定ボルト２２を挿入したり、あるいは引き抜いたりすることができる。
【００３４】
近接センサ１００，１０１は、固定ボルト２２の位置を検出するように機能する。フォーク指状の結合物の近くに搭載される近接センサ１００は、挿入位置にあるボルト２２を検出し、一方で、格子ピースの中央の近くに搭載されるセンサ１０１は、引き出されたボルト２２を検出する。
【００３５】
固定ボルト２２からの突出部２２ａは、フォーク指状の結合物の孔から、格子ピース１２の外側へ突出する。図示されたボルトの位置では、サブ要素１２ｂに搭載された固定ラグ２５が突出部２２１に径方向から係合し、それにより、ボルト２２がボルト引き出し装置２３によって引き抜かれてしまうことを機械的に防止することができる。固定ラグ２５がボルト２２の突出部２２１と係合しなくなった場合に限り、ボルト２２が引き抜かれ、そして格子ピース１２の頂上側の弦の内側端部同士の接続が開放される。
【００３６】
固定ラグ２５の機械的な調整による開放を可能とするために、サブ要素１２ｂの内側端部１２４の指状の要素の孔は、長孔２４として構成される。これにより、ボルトの所定のクリアランスが許容されることとなり、サブ要素１２ｂがサブ要素１２ａおよび挿入された固定ボルトに対して小さく動くことが可能となる。ここでは引きシリンダの様式で設けられる曲げ駆動部１４は、そのシリンダ側がサブ要素１２ａの頂上側の弦のコネクティングロッドの中央に取り付けられ、そのピストン側がサブ要素１２ｂの頂上側の弦のコネクティングロッドの中央に取り付けられる。ボルト２２が挿入されている状態においても、サブ要素１２ｂはサブ要素１２ａへ向かう方向において小さい距離だけ引き動かすことができる。サブ要素１２ｂは、ボルト２２が長孔２４の壁に対して接触し、フォーク指状の結合物の２つの接触点２６,２６’が互いに他方を押す状態となるまで、引き動かすことができる。この小さな相対運動は、サブ要素１２ｂに搭載される固定ラグ２５を突出部２２１に係合しない状態へと変化させ、それにより機械的妨害を無くすのに十分な動きである。こうして、ボルト２２を抜き出すことができる。
【００３７】
２つの接触点２６,２６’の領域に配置された近接センサ１０２は、２つのサブ要素１２ａ,１２ｂの互いに対する距離を監視し検出し、それによりボルト２２の安全な状態を検出する。
【００３８】
引きシリンダ１４は固定ラグ２５を開放するために機能するだけではなく、概して第２の格子ピース１２のサブ要素１２ａ,１２ｂの間の曲げ角度を無段階に調整するために機能する。
【００３９】
また、本質的な点は、垂下したバラストを定速度で広げおよび引っ込ませる動作の調整である。また、そのような調整を行う場合、３つの全てのシリンダ、すなわち、両方の回転シリンダ３および引きシリンダ１４の、正確な動作が保証されなければならない。とりわけ、垂下バラストガイドの具体的な幾何学的状態を考慮に入れなければならない。バラスト半径を変化させている間、垂下バラストプレートの高さは一定に保つことができる。吊り下げたバラストを広げおよび引っ込ませる間、吊り下げられたバラストはデリックヘッド２１１の周りを円運動するであろう。デリックブーム２１と垂下バラストガイドとの間のガイに設けられるバラスト引きシリンダ２１２は対応するように調整され、それによりバラストプレートを一定の高さに保持することができる。
【００４０】
２つの継ぎ手を用いることで、すなわち一方で回転継ぎ手１および曲げ継ぎ手２を用いることで、２つの格子ピース１１,１２とそれぞれのシリンダ３,１４を備えるコンパクトな輸送ユニットが製造される。このとき、高価な構成要素の分解は不要である。一方で、回転および曲げの運動学的特徴により、公道運輸の際に利用可能な輸送ウィンドウが効果的に利用できる。全体として、これは組立ておよび輸送の際の支出を大幅に減少させることとなる。
【図１】
2020132434.tif 000003
【図２】
2020132434.tif 000004
【図３】
2020132434.tif 000005
【図４】
2020132434.tif 000006
【図５】
2020132434.tif 000007
【図６】
2020132434.tif 000008
【外国語明細書】
2020132434000001.pdf